(57)【要約】【課題】ユーザが能動的に入力するスケジュールを管理するだけでなく、ユーザにより入力されたスケジュールの間の時間帯に、ユーザの行うべき行動を提案し可視化したり、互いに関連したスケジュール同士の関係をわかりやすく表示したりすることのできるスケジュール管理装置の提供。【解決手段】記憶された複数のユーザスケジュールを結合してグループ化されたタスクとして記憶させる。記憶されたタスクを、タスクごとに列挙して表示するタスク表示手段１５は、それぞれのタスクを、グループ化される前の個々のユーザスケジュールとともに表示する。記憶されたユーザスケジュールを時間軸に沿って表示する時間軸表示手段１６は、ユーザスケジュールによって埋められていない時間帯部分に、外部から受信した不特定スケジュールを表示する。【選択図】図１
2018120428.tif 000002
【特許請求の範囲】
【請求項１】
ユーザにより入力されたユーザスケジュールをその時間帯又は時刻とともに記憶し、該ユーザが複数のユーザスケジュール同士の関連性を入力した場合にはその関連性も記憶するユーザスケジュール記憶手段と、該ユーザスケジュール記憶手段が関連性を記憶した複数のユーザスケジュールを結合してグループ化されたタスクとして記憶するタスク記憶手段と、該ユーザスケジュール記憶手段が記憶したユーザスケジュールを時間軸に沿って表示する時間軸表示手段と、該タスク記憶手段が記憶したタスクを、タスクごとに列挙して表示するタスク表示手段を有するスケジュール管理装置であって、
該タスク表示手段が、それぞれのタスクを、グループ化される前の個々のユーザスケジュールとともに表示するものであって、該スケジュール管理装置が、外部から受信した不特定スケジュールをその時間帯又は時刻とともに記憶する不特定スケジュール記憶手段を有しており、該時間軸表示手段が、ユーザスケジュールによって埋められていない時間帯部分に、該不特定スケジュール記憶手段が受信した不特定スケジュールを表示することを特徴とするスケジュール管理装置。
【請求項２】
更に、上記ユーザスケジュールを配信スケジュールとして配信するユーザスケジュール情報配信手段を有し、
上記不特定スケジュールが、他のユーザにより配信された配信スケジュールである請求項１に記載のスケジュール管理装置。
【請求項３】
上記不特定スケジュールが、二次元コード形式及び／又は電子メール形式で受信されるものである請求項１又は請求項２に記載のスケジュール管理装置。
【請求項４】
コンピュータを、請求項１ないし請求項３の何れかの請求項に記載のスケジュール管理装置として機能させることを特徴とするプログラム。
【請求項５】
請求項１ないし請求項３の何れかの請求項に記載のスケジュール管理装置に、上記不特定スケジュールを送信するためのプログラムであって、該不特定スケジュールを、二次元コード形式及び／又は電子メール形式で送信するものであることを特徴とするプログラム。
【発明の詳細な説明】
【技術分野】
【０００１】
本発明は、スケジュール管理装置や、コンピュータをかかるスケジュール管理装置として機能させるためのプログラムに関する。
【背景技術】
【０００２】
人は、多数のスケジュールを抱えた状態にあることがあり、多数のスケジュールを管理するためにスケジュール管理装置を利用することがある。スケジュールの入力のしやすさ、スケジュール一覧の見やすさ（わかりやすさ）等の観点から、種々のスケジュール管理装置が提案されている。
【０００３】
例えば、特許文献１には、予定の確認や入力の際に表示していた日付が隠れないようにすることにより、スケジュールに対して適切に操作を行うことができるスケジュール管理装置が開示されている。
【０００４】
特許文献２には、スケジュール管理用アプリケーションソフトウェアの“ｔｏｄｏ”リストを、ユーザ以外の第三者によりチェックすることができ、メンバー間での業務遂行上の意志統一を図れるようにしたスケジュール管理装置が開示されている。
【０００５】
特許文献３には、繰り返し行なわれるスケジューリング作業の結果を管理し、新規スケジュール立案の際にタスク割り付け初期状態を生成すると共に、スケジュール対象の資源のスケジュール開始時刻における状態をシミュレーションにより推定する継続スケジュール管理システムが開示されている。
【０００６】
しかしながら、上述の従来技術は、ユーザが能動的に入力するスケジュール（すなわち、ユーザの行うべき行動が予め決まった時間帯）の管理のしやすさを追求したものであり、ユーザにより入力されたスケジュールの間の時間帯（空白の時間帯）に、ユーザがどのような行動を行うべきであるかを提案するものではない。
【０００７】
また、異なる時間帯に予定された複数のスケジュールは、互いに関連したものである場合がある。
例えば、自社の事業に関して他社に対してプレゼンテーションし、後日、他社から事業採用の可否の結果を聞く、といった場合（図２）を考える。この場合、プレゼンテーションの数日前に、まずは、プレゼンテーションの方向性を自社内での打ち合わせにより決定し、その後、打ち合わせの内容を踏まえてプレゼンテーションの日までにプレゼンテーション用の資料を作成し、プレゼンテーションに臨むのが一般的である。このような場合、「打ち合わせ」と「プレゼンテーション」は、互いに密接に関連したスケジュールであり、「結果を聞く」という行為も、「打ち合わせ」や「プレゼンテーション」と密接に関連したスケジュールである。また、行う時間帯が決まっていない作業（「スケジュール」ではなく、いわゆる「ＴｏＤｏ」）として、「資料作成」という作業を行わなければならないことになる。
上述の従来技術は、このような互いに関連したスケジュール同士や、その間の作業の関係をわかりやすく表示するものではない。
【先行技術文献】
【特許文献】
【０００８】
【特許文献１】特開２０１３−０５８０２６号公報
【特許文献２】特開平９−２５９０８８号公報
【特許文献３】特開平５−２９８３２１号公報
【発明の概要】
【発明が解決しようとする課題】
【０００９】
本発明は上記背景技術に鑑みてなされたものであり、その課題は、ユーザが能動的に入力するスケジュールを管理するだけでなく、ユーザにより入力されたスケジュールの間の時間帯に、ユーザの行うべき行動を提案し可視化したり、互いに関連したスケジュール同士の関係をわかりやすく表示したりすることのできるスケジュール管理装置や、コンピュータをかかるスケジュール管理装置として機能させるためのプログラムを提供することにある。
【課題を解決するための手段】
【００１０】
本発明者は、上記の課題を解決すべく鋭意検討を重ねた結果、互いに関連する複数のユーザスケジュールを結合してグループ化されたタスクとして記憶させ、タスクを一覧にして表示する際に、グループ化される前の個々のユーザスケジュールとともに表示することにより、互いに関連したスケジュール同士の関係をわかりやすくすることができることを見出した。また、本発明者は、ユーザスケジュールによって埋められていない時間帯部分に、外部から受信した不特定スケジュールを表示することにより、ユーザが、スケジュール同士の間の時間帯に行うべき行動を把握しやすくなることを見出して、本発明を完成するに至った。
【００１１】
すなわち、本発明は、ユーザにより入力されたユーザスケジュールをその時間帯又は時刻とともに記憶し、該ユーザが複数のユーザスケジュール同士の関連性を入力した場合にはその関連性も記憶するユーザスケジュール記憶手段と、該ユーザスケジュール記憶手段が関連性を記憶した複数のユーザスケジュールを結合してグループ化されたタスクとして記憶するタスク記憶手段と、該ユーザスケジュール記憶手段が記憶したユーザスケジュールを時間軸に沿って表示する時間軸表示手段と、該タスク記憶手段が記憶したタスクを、タスクごとに列挙して表示するタスク表示手段を有するスケジュール管理装置であって、
該タスク表示手段が、それぞれのタスクを、グループ化される前の個々のユーザスケジュールとともに表示するものであって、該スケジュール管理装置が、外部から受信した不特定スケジュールをその時間帯又は時刻とともに記憶する不特定スケジュール記憶手段を有しており、該時間軸表示手段が、ユーザスケジュールによって埋められていない時間帯部分に、該不特定スケジュール記憶手段が受信した不特定スケジュールを表示することを特徴とするスケジュール管理装置を提供するものである。
【００１２】
また、本発明は、コンピュータを上記のスケジュール管理装置として機能させることを特徴とするプログラムを提供するものである。
【００１３】
また、本発明は、上記のスケジュール管理装置に、上記不特定スケジュールを送信するためのプログラムであって、該不特定スケジュールを、二次元コード形式及び／又は電子メール形式で送信するものであることを特徴とするプログラムを提供するものである。
【発明の効果】
【００１４】
本発明のスケジュール管理装置は、ユーザにより入力されたスケジュールの間の時間帯に、ユーザに対してユーザの行うべき行動を提案し可視化し、また、互いに関連したスケジュール同士の関係をわかりやすく表示するので、本発明のスケジュール管理装置を使用するユーザは、自ら入力したスケジュール（予め行うべき行動が決まっている時間帯）の間の時間帯（空白の時間帯）に行うべき行動を把握しやすくなり、かかる時間帯に有意義で充実した時間を過ごしやすくなる。
【図面の簡単な説明】
【００１５】
【図１】本発明のスケジュール管理装置のブロック図である。
【図２】スケジュール群の例（仕事）を示す概念図である。        （ａ）本発明のスケジュール管理装置の場合        （ｂ）従来のスケジュール管理装置の場合
【図３】スケジュール群の例（旅行）を示す概念図である。        （ａ）本発明のスケジュール管理装置の場合        （ｂ）従来のスケジュール管理装置の場合
【図４】タスク表示手段により表示された画面の例である。
【図５】時間軸表示手段により表示された画面の例である。
【発明を実施するための形態】
【００１６】
以下、本発明について説明するが、本発明は以下の実施の形態に限定されるものではなく、任意に変形して実施することができる。
【００１７】
図１に、本発明のスケジュール管理装置のブロック図の一例を示す。
本発明のスケジュール管理装置１０は、少なくとも、ユーザスケジュール記憶手段１１、タスク記憶手段１２、不特定スケジュール記憶手段１３、タスク表示手段１５、時間軸表示手段１６を有する。
本発明のスケジュール管理装置１０は、ユーザスケジュール情報配信手段１４等を有していてもよい。
【００１８】
ユーザＵは、スケジュール管理装置１０のユーザスケジュール記憶手段１１に、自らのスケジュール（ユーザスケジュール）を入力する。ユーザスケジュール記憶手段１１は、ユーザＵにより入力されたユーザスケジュールをその時間帯又は時刻とともに記憶する。
「スケジュール」とは、予め行うべき時間帯が決まっている予定のことを意味する。先述の図２の例では、「打ち合わせ」・「プレゼンテーション」・「結果を聞く」が「スケジュール」である。「資料作成」は、行うべき時間帯が決まっていないので、「スケジュール」ではない（いわゆる「ＴｏＤｏ」である）。
【００１９】
また、ユーザＵは、入力したユーザスケジュール同士に関連性がある場合は、それらのユーザスケジュール同士の関連性もユーザスケジュール記憶手段１１に入力する。ユーザスケジュール記憶手段１１は、ユーザＵが複数のユーザスケジュール同士の関連性を入力した場合にはその関連性も記憶する。
例えば、図２の場合、「打ち合わせ」・「プレゼンテーション」・「結果を聞く」の３つのスケジュールを互いに関連性があるものとしてユーザＵが入力し、ユーザスケジュール記憶手段１１は３つのスケジュールの関連性を記憶する。
【００２０】
タスク記憶手段１２は、ユーザスケジュール記憶手段１１が関連性を記憶した複数のユーザスケジュールを結合して、グループ化されたタスクとして記憶する。
例えば、上記の図２の例（仕事）の場合、「打ち合わせ」・「プレゼンテーション」・「結果を聞く」の３つのスケジュールを結合してグループ化し、「仕事Ａ」という１つのタスクとして記憶する。
【００２１】
タスク記憶手段１２は、他のスケジュールと関連していないスケジュール（単独のスケジュール）については、そのままタスクとして記憶する。
【００２２】
タスク表示手段１５は、タスク記憶手段１２が記憶したタスクを、タスクごとに列挙して表示する。
タスク表示手段１５が表示する画面の例を図４に示す。図４において、１つのタブによって表現された事項が１つのタスクである。
【００２３】
本発明においては、タスク表示手段１５は、それぞれのタスクを、グループ化される前の個々のユーザスケジュールとともに表示する。
例えば、図４における上から５つ目のタブにおいては、「オリエン」（オリエンテーション）と「プレゼン」（プレゼンテーション）という個々のスケジュールが、「百貨店外観提案」というタスクとともに表示されている。また、「オリエン」と「プレゼン」の間には「準備期間」（プレゼン（プレゼンテーション）の資料の準備）という、行う時間帯が決まっていない作業（ＴｏＤｏ）も表示されている。
ユーザＵは、タスク表示手段１５が表示（出力）した画面を見ることにより、自分が行うべき行動の全体像を把握することができる。
【００２４】
従来のスケジュール管理装置では、行わなければならないことを、「ＴｏＤｏ」リストとしてリスト化することは可能であったが、複数の関連したスケジュールをグループ化してタスクとして表示するものではなかった。
本発明では、それぞれのタスクを、グループ化される前の個々のユーザスケジュールとともに表示することにより、自ら入力したスケジュールの間の時間帯に行うべき行動を把握しやすくなる。
【００２５】
例えば、図２に示す、「打ち合わせ」→「資料作成」→「プレゼンテーション」→「結果を聞く」という行動のパターンの場合、スケジュール（ｓ）である「打ち合わせ」・「資料作成」・「プレゼンテーション」・「結果を聞く」を、従来のスケジュール管理装置（図２（ｂ））は、それぞれ別個のスケジュールとして管理し、作業（ｗ）である「資料作成」を、いわゆる「ＴｏＤｏ」として管理する。すなわち、３つの予定と、１つの「ＴｏＤｏ」として管理し、スケジュール（ｓ）や作業（ｗ）同士の関係をユーザが把握するのは困難である。また、「プレゼンテーション」と「結果を聞く」の間には、「待機」の状態（ユーザは何もしない）が存在するが、このような空白の時間帯（ｖ）が、どの時間帯であるのか、ユーザが把握するのは困難である。
【００２６】
本発明のスケジュール管理装置（図２（ａ））は、「打ち合わせ」・「プレゼンテーション」・「結果を聞く」という３つのスケジュール（ｓ）を、グループ化し、１つのタスク（ｔ）として管理し、グループ化されたそれぞれのタスク（ｔ）を、タスク表示手段が、グループ化される前の３つのスケジュール（ｓ）とともに表示するので、スケジュール（ｓ）と、スケジュール（ｓ）や作業（ｗ）同士の関係をユーザが把握するのが容易となり、また、スケジュール（ｓ）の間の空白の時間帯（ｖ）をユーザが把握するのが容易となる。
【００２７】
図３に示す旅行の場合の行動パターンは、従来のスケジュール管理装置（図３（ｂ））では、集合から解散までの全てを、１つの「旅行」というスケジュール（ｓ）で管理する方法、「集合」・「観光」・「解散」という３つのスケジュール（ｓ）で管理する方法、「集合」・「移動」・「観光」・「移動」・「解散」という５つのスケジュール（ｓ）で管理する方法がある。しかし、例えば、電車やバス等の移動手段を用いる場合、旅行者は、スマートフォン等を使用して、例えば、仕事や趣味に係る何らかの別の作業を行うことが可能である、よって、「移動」はスケジュール（ｓ）ではなく、空白の時間帯（ｖ）とみなすこともでき、この間に行うべき行動が提案されれば、旅行者は、移動中の時間を有意義に過ごすことが可能となる。
【００２８】
本発明のスケジュール管理装置（図３（ａ））は、一連の「旅行」という行為を、グループ化されたタスク（ｔ）として表示し、空白の時間帯（ｖ）とみなされた「移動」の時間帯に、ユーザが行うべき行動を提案するので、ユーザは、時間を有意義に過ごすことが可能となる。
【００２９】
タスク表示手段１５により表示される画面は、図４に示すように、現在時刻を表示できるようになっている。ユーザが状況を把握しやすいように、例えば、既に完了した（過去の）スケジュールと、差し迫ったスケジュール（例えば、現在時刻から２４時間以内のスケジュール）と、差し迫っていないスケジュールは、別々の表示方法で表示する（例えば、既に完了したスケジュールを灰色、差し迫ったスケジュールを赤色、差し迫っていないスケジュールを黒色で表示する）のが好ましい。
【００３０】
不特定スケジュール記憶手段１３は、外部Ｖから受信した不特定スケジュールをその時間帯又は時刻とともに記憶する。
「不特定スケジュール」とは、ユーザＵが自ら入力するスケジュール（ユーザＵの行動により決められるスケジュール）ではなく、ユーザＵ以外の者（外部Ｖ）から与えられるスケジュール（空白の時間帯に、ユーザＵが行うべき行動の候補）である。
「外部Ｖ」とは、本発明のスケジュール管理装置１０を使用するユーザＵ以外の者である。後述のように、本発明のスケジュール管理装置１０は、ユーザスケジュール情報配信手段１４を有していてもよく、このような場合、あるユーザＵ１が配信したユーザスケジュールを、別のユーザＵ２は、不特定スケジュールとして受信することができる（すなわち、ユーザＵ２を本発明のスケジュール管理装置１０のユーザＵとみなした場合、ユーザＵ１は外部Ｖに相当する）。
【００３１】
不特定スケジュールの受信方法としては、インターネット上の情報を自動的に受信する方法、二次元コード形式で受信する方法、電子メール形式で受信する方法、等が挙げられる。
【００３２】
不特定スケジュールは、外部Ｖから受信する、ユーザＵが行うべき行動の候補であるが、例えば、インターネット上の情報を自動的に受信するような場合、不特定スケジュール（行動の候補）の数は、膨大な量になり、却ってユーザの行動の選択が困難になる場合がある。
このため、本発明のスケジュール管理装置１０は、ユーザの嗜好等を予め入力する手段を有し、不特定スケジュール記憶手段１３が、ユーザの嗜好等に応じて選択的に不特定スケジュールを受信するのが好ましい。
【００３３】
また、本発明のスケジュール管理装置１０には、ユーザが、受信した不特定スケジュールの開始日を、自ら設定する手段を設けてもよい。
【００３４】
不特定スケジュール記憶手段１３は、いったん外部Ｖから受信した不特定スケジュールに中止や変更が生じた場合に、外部Ｖから既に受信した不特定スケジュールの中止や変更の情報を受け取り、記憶するようになっていてもよい。
【００３５】
時間軸表示手段１６は、ユーザスケジュール記憶手段１１が記憶したユーザスケジュールを時間軸に沿って表示する。また、時間軸表示手段１６は、ユーザスケジュールによって埋められていない時間帯部分に、不特定スケジュール記憶手段１３が受信した不特定スケジュールを表示する。
【００３６】
時間軸表示手段１６が表示する画面の例を図５に示す。図５に示した例では、１４：００〜１５：３０、１６：００〜１８：００、２０：００〜２１：３０が、ユーザスケジュールで埋められている（時間軸の右に、帯状の図形が配置されており、埋められていない時間帯と区別できる）。
上記以外の時間帯は、ユーザスケジュールによって埋められていない時間帯部分であり、不特定スケジュール記憶手段１３が受信した不特定スケジュールが表示される。
ユーザＵは、時間軸表示手段１６が表示（出力）した画面を見ることにより、予め決まった自分のスケジュールを把握するともに、行うべき行動が決まっていない空白の時間帯に行う行動の候補を知ることができ、ユーザスケジュールによって埋められていない時間帯を有効利用することができる。
【００３７】
時間軸表示手段１６における不特定スケジュールの表示方法は、例えば、ユーザの嗜好に応じて、表示順序が決定されるようにする（例えば、ユーザの興味のある分野を優先的に表示する）のが好ましい。
【００３８】
また、不特定スケジュールの種類によっては、特定の場所でしか行うことのできないものがある（例えば、「上映中の映画を見る」という不特定スケジュールは、近くに映画館がなければ行うことはできない）。
本発明のスケジュール管理装置１０は、地図情報を内蔵しており、ユーザの現在位置を検出する手段を有するのが好ましい。
このようになっていることにより、時間軸表示手段１６が、ユーザの現在位置に応じてユーザが行うことが可能な不特定スケジュールのみを表示することができる。また、電車・バス等の公共交通手段の運行情報を、受信することにより、候補となる不特定スケジュールを行うために最適な移動手段・移動時間等を割り出し、時間軸表示手段１６に出力させることができる。
【００３９】
不特定スケジュールの種類によっては、時間・日・週・月・年単位で繰り返すべきものがあるので、時間軸表示手段１６は、かかるスケジュールを、繰り返して表示するようにしてもよい。
【００４０】
ユーザスケジュール情報配信手段１４は、ユーザスケジュール記憶手段１１が記憶したユーザスケジュールを、配信スケジュールとして配信する。
特定のユーザから配信された配信スケジュールは、別のユーザが、不特定スケジュールとして受信することができる。
【００４１】
ユーザスケジュール情報配信手段１４による配信スケジュールの配信方法としては、二次元コード形式で配信する方法、電子メール形式で配信する方法、等が挙げられる。
二次元コード形式で配信する方法は、不特定多数の他人（別のユーザ）に対して配信するのに適する。電子メール形式で配信する方法は、特定の他のユーザ（例えば、配信するユーザと同じ会社の社員）に対して配信するのに適する。
【００４２】
配信スケジュールを配信する際には、パスワード等による認証を行えるようにして、特定の他のユーザのみが該配信スケジュールを不特定スケジュールとして利用できるようにしてもよい。
また、配信スケジュールにアラートを付けたり、配信スケジュールを不特定スケジュールとして受信したユーザが、該配信スケジュールを配信したユーザに対して、回答する手段を設けてもよい。
【００４３】
本発明のスケジュール管理装置１０のユーザスケジュール記憶手段１１、タスク記憶手段１２、不特定スケジュール記憶手段１３等により記憶された情報は、ユーザの個人情報とともに、クラウド環境下で管理されることが好ましい。記憶された情報が、自動的にクラウドに送信され、バックアップされるようにすることが特に好ましい。
【００４４】
本発明は、コンピュータを、上述のスケジュール管理装置１０として機能させることを特徴とするプログラムにも関する。
また、本発明は、上述のスケジュール管理装置１０に、不特定スケジュールを送信するためのプログラムであって、不特定スケジュールを、二次元コード形式及び／又は電子メール形式で送信するものであることを特徴とするプログラムにも関する。
【産業上の利用可能性】
【００４５】
本発明のスケジュール管理装置は、スマートフォン、タブレット、デスクトップ型パソコン、ノート型携帯用パソコン等に適用することができる。
【符号の説明】
【００４６】
１０  スケジュール管理装置
１１  ユーザスケジュール記憶手段
１２  タスク記憶手段
１３  不特定スケジュール記憶手段
１４  ユーザスケジュール情報配信手段
１５  タスク表示手段
１６  時間軸表示手段
Ｕ  ユーザ
Ｖ  外部
ｓ  スケジュール
ｔ  タスク
ｖ  空白の時間帯
ｗ  作業（Ｔｏｄｏ）
【図１】
2018120428.tif 000003
【図２】
2018120428.tif 000004
【図３】
2018120428.tif 000005
【図４】
2018120428.tif 000006
【図５】
2018120428.tif 000007